(57)【特許請求の範囲】
【請求項１】
底部と、底部の一方の相対する辺部にヒンジ連結された、折り畳まれた状態から先に立てられる側壁と、底部のもう一方の相対する辺部にヒンジ連結された、折り畳まれた状態から後に立てられる側壁とを有する折り畳みコンテナーにおいて、前記折り畳まれた状態から後に立てられる側壁が、ヒンジ部材を介して連結された上部側壁部と下部側壁部とにより構成されており, 折り畳みコンテナーが折り畳まれた状態においては、前記下部側壁部と前記上部側壁部とが略面一状態を維持したまま、前記底部に重ねられているとともに、前記底部に重ねられている略面一状態の前記下部側壁部と前記上部側壁部の上に、前記折り畳まれた状態から先に立てられる側壁が重ねられており、また、折り畳みコンテナーが箱型に組み立てられた状態においては、前記折り畳まれた状態から先に立てられる側壁が略垂直に立てられているとともに、略垂直に立てられた前記下部側壁部に、前記上部側壁部が重ねられており、更に、前記折り畳まれた状態から先に立てられる側壁には、弾性を有する板状片と該板状片の上端部に形成された載置部とからなる載置部材が配設されており、折り畳みコンテナーが箱型に組み立てられた状態から、前記下部側壁部に重ねられている前記上部側壁部を、箱型に組み立てられた折り畳みコンテナーの内側方向に回動させた際には、前記上部側壁部が、前記載置部材の載置部に載置されて、前記上部側壁部が、略水平状態に配置されるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
本出願人は、先の出願である特願２００１−８４４３等において、図１３〜図１６に示されているように、底部１’と、長側壁２’と、ヒンジ連結された上部短側壁部３ａ’と下部短側壁部３ｂ’とからなる短側壁３’とから構成された折り畳みコンテナーを提案した。そして、図１３に示されている折り畳まれた状態の折り畳みコンテナーを、箱型に組み立てるには、先ず最初に、図１４に示されているように、底部１に略面一状態で重ねられている上部短側壁部３ａ’と下部短側壁部３ｂ’の上に重ねられている長側壁２’を、略垂直状態に立てる。次いで、拡開状態のままの上部短側壁部３ａ’と下部短側壁部３ｂ’とを垂直方向に回動させて、略垂直に立てられた長側壁２’の内壁面２ａ’の両端部付近で、上下方向に所定の間隔をおいて突設された嵌合片２ｂ’に穿設された透孔２ｂ１’に、下部短側壁部３ｂ’の両側の垂直縁付近に形成された嵌合突片３ｂ１’を挿入するようにして、図１５に示されているように、拡開状態のままの上部短側壁部３ａ’と下部短側壁部３ｂ’とを略垂直に立てる。その後、上部短側壁部３ａ’を、ヒンジ部を中心に外側に回動させて、上部短側壁部３ａ’の両端部付近に突設された係止突片３ａ１’を、下部短側壁部３ｂ’に形成された横長の嵌合孔３ｂ２’に嵌入して、図１６に示されているように、折り畳みコンテナーを箱型に組み立てるように構成されている。
【０００３】
図１６に示されている箱型に組み立てられた状態の折り畳みコンテナーを、図１３に示されているように折り畳むには、先ず最初に、ヒンジ部を中心に、下部短側壁部３ｂ’に重ねられている上部短側壁部３ａ’を回動させて、上部短側壁部３ａ’の係止突片３ａ１’を、下部短側壁部３ｂ’の嵌合孔３ｂ２’から排出させる。次いで、図１５に示されているように、拡開状態の上部短側壁部３ａ’と下部短側壁部３ｂ’とを、底部１’方向に回動させて、図１４に示されているように、底部１’に重ねる。この上部短側壁部３ａ’と下部短側壁部３ｂ’の底部１’方向への回動開始と略同時に、長側壁２’の内壁面２ａ’に形成されている嵌合片２ｂ’に穿設された透孔２ｂ１’から、下部短側壁部３ｂ’に形成された嵌合突片３ｂ１’が抜け出ることになる。次いで、長側壁２’を底部１’方向に回動させて、底部１’に、拡開状態で重ねられている上部短側壁部３ａ’と下部短側壁部３ｂ’の上に、長側壁２’を重ねることにより、図１３に示されているように、折り畳むように構成されている。
【０００４】
【発明が解決しようとする課題】
上述した従来の折り畳みコンテナーにおいては、図１６に示されているように、箱型に組み立てられた状態における折り畳みコンテナーの剛性や強度が低く、箱型に組み立てられた折り畳みコンテナーが、捩じれたりして変形し易いという問題があった。
【０００５】
本発明の目的は、上述した従来の折り畳みコンテナーが有する課題を解決することにある。
【０００６】
【課題を解決するための手段】
本発明は、上述した目的を達成するために、底部と、底部の一方の相対する辺部にヒンジ連結された、折り畳まれた状態から先に立てられる側壁と、底部のもう一方の相対する辺部にヒンジ連結された、折り畳まれた状態から後に立てられる側壁とを有する折り畳みコンテナーにおいて、前記折り畳まれた状態から後に立てられる側壁が、ヒンジ部材を介して連結された上部側壁部と下部側壁部とにより構成されており, 折り畳みコンテナーが折り畳まれた状態においては、前記下部側壁部と前記上部側壁部とが略面一状態を維持したまま、前記底部に重ねられているとともに、前記底部に重ねられている略面一状態の前記下部側壁部と前記上部側壁部の上に、前記折り畳まれた状態から先に立てられる側壁が重ねられており、また、折り畳みコンテナーが箱型に組み立てられた状態においては、前記折り畳まれた状態から先に立てられる側壁が略垂直に立てられているとともに、略垂直に立てられた前記下部側壁部に、前記上部側壁部が重ねられており、更に、前記折り畳まれた状態から先に立てられる側壁には、弾性を有する板状片と該板状片の上端部に形成された載置部とからなる載置部材が配設されており、折り畳みコンテナーが箱型に組み立てられた状態から、前記下部側壁部に重ねられている前記上部側壁部を、箱型に組み立てられた折り畳みコンテナーの内側方向に回動させた際には、前記上部側壁部が、前記載置部材の載置部に載置されて、前記上部側壁部が、略水平状態に配置されるように構成したものである
【０００７】
【実施例】
以下に、本発明の実施例について説明するが、本発明の趣旨を越えない限り何ら、本実施例に限定されるものでない。
【０００８】
１は、先の出願における底部１’と同様の底部であり、底部１の相対する長辺部には、高さの高い土手部（以下、長辺側土手部という。）１ａが形成されており、また、底部１の相対する短辺部には、高さの低い土手部（以下、短辺側土手部という。）１ｂが形成されている。底部１の長辺側土手部１ａには、先の出願における長側壁２’と同様の長側壁２が、適当なヒンジ部材により連結されている。３は、先の出願における短側壁３’と同様の互いにヒンジ連結された上部短側壁部３ａと下部短側壁部３ｂとからなる短側壁３であり、短側壁３を構成する下部短側壁部３ｂは、底部１の短辺側土手部１ｂに、適当なヒンジ部材により連結されている。
【０００９】
次に、主として、図７及び図８を用いて、短側壁３について説明する。
【００１０】
短側壁３は、上述したように、上下方向に分割された上部短側壁部３ａと下部短側壁部３ｂとから構成されており、上部短側壁部３ａと下部短側壁部３ｂは、それぞれ、合成樹脂で一体に成形されている。
【００１１】
上部短側壁部３ａの下端の両端部付近及び中央部には、凹部４が形成されており、凹部４内には、凹部４を構成する相対する側面４ａを架橋する水平なヒンジピン５が取着されている。６は、上部短側壁部３ａの上部角部付近の領域に穿設された水平なスリットである。
【００１２】
下部短側壁部３ｂの上部フランジ３ｂ１の両端部付近及び中央部には、上方に突出したヒンジ雌ブロック７が形成されており、ヒンジ雌ブロック７には、上述した上部短側壁部３ａの凹部４内に取着されたヒンジピン５が挿入可能な水平なヒンジスリット７ａが形成されている。ヒンジスリット７ａの入り口部の高さは、ヒンジピン５の直径より、若干、小さく形成されており、ヒンジスリット７ａに挿入されたヒンジピン５が、簡単には、ヒンジスリット７ａから抜け出ないように構成されている。８は、下部短側壁部３ｂの両端部付近の領域に突設された、先端部に係止突部８ａが形成された係止舌片である。なお、本実施例には、係止舌片８が、下部短側壁部３ｂに形成された箱部８ｂに配設された例が示されている。９は、下部短側壁部３ｂの両側の垂直縁部付近に、上下方向に所定の間隔をおいて、突設された縦長の板状の嵌合雄部材であり、本実施例には、下部短側壁部３ｂの両側の垂直縁部付近に、それぞれ、２個の嵌合雄部材９が形成されている例が示されている。
【００１３】
折り畳みコンテナーが箱型に組み立てられた際に、外側に位置する下部短側壁部３ｂの外壁面３ｂ２には、一対の指状片１０ａからなるカード差し部材１０が配設されているとともに、縦横に延在する補強リブ１１が、必要に応じて適宜、形成されている。折り畳みコンテナーが箱型に組み立てられた際に、内側に位置する面を内壁面３ｂ３という。なお、上述した係止舌片８や嵌合突片９も、下部短側壁部３ｂの外壁面３ｂ２に、外壁面３ｂ２に対して略垂直に立設されており、更に、ヒンジ雌ブロック７に形成されたヒンジスリット７ａもその開口が、外壁面３ｂ２側に位置している。
【００１４】
上述した構成を有する上部短側壁部３ａと下部短側壁部３ｂとは、下部短側壁部３ｂの上端の両端部付近及び中央部に形成されたヒンジ雌ブロック７のヒンジスリット７ａに、上部短側壁部３ａの下端の両端部付近及び中央部に形成された凹部４を架橋するヒンジピン５を、押し込むように嵌入することにより、ヒンジ連結されるように構成されている。そして、ヒンジ雌ブロック７とヒンジピン５により構成されるヒンジ部により、下部短側壁部３ｂに対して、上部短側壁部３ａが回動可能なように構成されている。
【００１５】
次に、主として、図５、図９及び図１０を用いて、合成樹脂で一体に成形された長側壁２について説明する。
【００１６】
長側壁２の内壁面（折り畳みコンテナーを箱型に組みたてた際に、内側に位置する面）２ａの両側の垂直縁部付近には、上下方向に所定の間隔をおいて、上述した下部短側壁部３ｂの両側の垂直縁部付近に突設された嵌合雄部材９が挿入可能な縦長の透孔１２ａが形成されたコの字状の嵌合雌部材１２が配設されている。本実施例においては、嵌合雄部材９に対応して、下部短側壁部３ｂの両側の垂直縁部付近に、それぞれ、２個の嵌合雌部材１２が配設されている。
【００１７】
１３は、長側壁２の上部角部付近に形成された一対の載置部材であり、載置部材１３は、長側壁２に、水平部１４ａ及び水平部１４ａの両端から下方に延在する２本の垂直部１４ｂからなる略逆Ｕ字状のスリット１４を穿設することにより形成されている。載置部材１３は、弾性を有する板状片１３ａと、板状片１３ａの上端部に形成された載置部１３ｂとにより構成されており、載置部１３ｂは、長側壁２の内壁面２ａから水平方向に突出しており、上面には、水平な載置面１３ｂ１が形成されているとともに、載置面１３ｂ１には、嵌合突起１３ｂ２が突設されている。また、載置部１３ｂの載置面１３ｂ１の下方に位置する側面には、板状片１３ａに接続する傾斜面１３ｂ３が形成されている。なお、１５は、周囲が周状補強リブ１６で囲まれた、手が挿入可能な持ち手用透孔であり、また、箱型に組み立てられた際に、外側に位置する外壁面２ｂには、上記の周状補強リブ１６を含め、縦横に延在する補強リブ１７が、必要に応じて適宜、形成されている。
【００１８】
上述した短側壁３を構成する上部短側壁部３ａと下部短側壁部３ｂとが、図３及び図４等に示されているように、略面一に拡開された状態において、下部短側壁部３ｂの内壁面３ｂ２側に位置する上部短側壁部３ａの面（折り畳みコンテナーが箱型に組み立てられ、且つ、短側壁３を構成する上部短側壁部３ａと下部短側壁部３ｂとが重なっている状態においては、箱型に組み立てられた折り畳みコンテナーの外側に位置するので、便宜的に、外壁面と称する。）３ａ１の垂直縁部の中央部付近には、それぞれ、上述した長側壁２の上部角部付近に配設された載置部材１３の載置部１３ｂの載置面１３ｂ１に突設された嵌合突起１３ｂ２が挿入可能な嵌合透孔１８が形成されている。
【００１９】
次に、主として、図１、図３、図５及び図６を用いて、折り畳まれた状態の折り畳みコンテナーを、箱型に組み立てる作業について説明する。
【００２０】
図６に示されている折り畳みコンテナーが折り畳まれた状態においては、短側壁３を構成する上部短側壁部３ａと下部短側壁部３ｂとは、ヒンジ連結された上部短側壁部３ａと下部短側壁部３ｂとが、略面一状態で、底部１に重ねられている。換言すれば、上部短側壁部３ａと下部短側壁部３ｂとが、拡開された状態で、底部１に重ねられている。そして、底部１に、拡開された状態で重ねられた上部短側壁部３ａと下部短側壁部３ｂの上に、長側壁２が重ねられて、図６に示されているように、折り畳みコンテナーが折り畳まれている。
【００２１】
図６に示されている折り畳みコンテナーが折り畳まれた状態から、先ず最初に、短側壁３を構成する上部短側壁部３ａと下部短側壁部３ｂの上に重ねられていた長側壁２を、垂直方向に回動させて、図５に示されているように、略垂直に立てる。
【００２２】
次いで、図５に示されているように、底部１に、拡開状態で重ねられている、短側壁３を構成する上部短側壁部３ａと下部短側壁部３ｂとを、垂直方向に回動させる。短側壁３の垂直方向への回動途中において、下部短側壁部３ｂの相対する垂直側面３ｂ４は、長側壁２の上部角部付近に形成された一対の載置部材１３の載置部１３ｂに当接することになるが、下部短側壁部３ｂは、その垂直側面３ｂ４が、載置部１３ｂの傾斜面１３ｂ３に沿って、載置部材１３の板状部１３ａを、その弾性に抗して外側に移動させながら回動し、下部短側壁部３ｂの垂直側面３ｂ４が、載置部材１３の載置部１３ｂから外れた時点で、載置部材１３は、板状部１３ａの弾性力により、元の位置に戻ることになる。
【００２３】
また、短側壁３を構成する拡開状態のままの上部短側壁部３ａと下部短側壁部３ｂとの垂直方向への回動途中において、長側壁２の内壁面２ａの両端部付近で、上下方向に所定の間隔をおいて突設された嵌合雌部材１２の透孔１２ａに、下部短側壁部３ｂの両側の垂直縁部付近に突設された嵌合雄部材９を挿入するようにして、拡開状態のままの上部短側壁部３ａと下部短側壁部３ｂとを略垂直に立てる。その後、上部短側壁部３ａを、下部短側壁部３ｂに配設されたヒンジ雌ブロック７と上部短側壁部３ａに配設されたヒンジピン５とにより構成されるヒンジ部を中心に、外側に回動させるとともに、上部短側壁部３ａの上部角部付近の領域に穿設された水平なスリット６に、下部短側壁部３ｂの両端部付近の領域に突設された係止舌片８の係止突部８ａを嵌入して、図１及び図２に示されているように、下部短側壁部３ｂに対して、上部短側壁部３ａを重ねるようにして、折り畳みコンテナーを箱型に組み立てる。
【００２４】
図１に示されている箱型に組み立てられた状態の折り畳みコンテナーを、図６に示されているように折り畳むには、上述した箱型への組み立て作業とは逆の作業を行うことにより、折り畳むことができる。この折り畳み作業の際には、下部短側壁部３ｂに配設されたヒンジ雌ブロック７と上部短側壁部３ａに配設されたヒンジピン５とにより構成されるヒンジ部を中心に、下部短側壁部３ｂに重ねられている上部短側壁部３ａを回動させて、上部短側壁部３ａに穿設されたスリット６から、下部短側壁部３ｂの両端部付近の領域に突設された係止舌片８の係止突部８ａを排出させ、上部短側壁部３ａを回動させることになる。短側壁３を構成する上部短側壁部３ａと下部短側壁部３ｂとが拡開された図３に示されている状態で、短側壁３を、底部１方向に回動させるが、この底部１方向への回動に先立って、長側壁２に配設された載置部材１３の載置部１３ｂを、板状部１３ａの弾性力に抗して、外側方向に押して、下部短側壁部３ｂが、載置部材１３の載置部１３ｂに当接し、下部短側壁部３ｂの底部１方向への回動の邪魔にならないように、載置部材１３の載置部１３ｂを、長側壁２の内壁面２ａから外側に退避させる。載置部材１３の載置部１３ｂの、長側壁２の内壁面２ａからの退避後に、短側壁３を構成する拡開状態の上部短側壁部３ａと下部短側壁部３ｂとを、底部１方向に回動させて、図５に示されているように、底部１に重ねる。次いで、略垂直状態の長側壁２を、底部１方向に回動して、底部１に、拡開された状態で重ねられた上部短側壁部３ａと下部短側壁部３ｂの上に重ねることにより、図６に示されているように、折り畳みコンテナーを折り畳むように構成されている。
【００２５】
上述したように、箱型に組み立てられた状態において、短側壁３を構成する下部短側壁部３ｂに重ねられている上部短側壁部３ａを、下部短側壁部３ｂに配設されたヒンジ雌ブロック７と上部短側壁部３ａに配設されたヒンジピン５とにより構成されるヒンジ部を中心に、上部短側壁部３ａを、箱型に組み立てられた折り畳みコンテナーの内側方向に、略水平状態まで回動させることにより、上部短側壁部３ａを、図１１及び図１２示されているように、長側壁２に配設された載置部材１３の載置部１３ｂの載置面１３ｂ１に載置するとともに、上部短側壁部３ａに形成された嵌合透孔１８に、長側壁２に配設された載置部材１３の載置部１３ｂの載置面１３ｂ１に突設された嵌合突起１３ｂ２を挿入する。このように、箱型に組み立てられた状態において、短側壁３を構成する下部短側壁部３ｂに重ねられている上部短側壁部３ａを、箱型に組み立てられた折り畳みコンテナーの内側に、略水平状態に配置し、上部短側壁部３ａを、相対する長側壁２間に、梁状に配置することにより、箱型に組み立てられた状態における折り畳みコンテナーの剛性や強度が向上し、箱型に組み立てられた折り畳みコンテナーの捩じれや変形を防止することができる。
【００２６】
また、本実施例においては、短側壁３を構成する上部短側壁部３ａの高さ（下部短側壁部３ｂに配設されたヒンジ雌ブロック７と上部短側壁部３ａに配設されたヒンジピン５とにより構成されるヒンジ部の中心から、上部短側壁部３ａの上端までの距離）Ｈ１が、下部短側壁部３ｂの高さ（下部短側壁部３ｂに配設されたヒンジ雌ブロック７と上部短側壁部３ａに配設されたヒンジピン５とにより構成されるヒンジ部の中心から、下部短側壁部３ｂの下部フランジ３ｂ５間での距離）Ｈ２の１／３〜１／２程度に形成されているが、上部短側壁部３ａの高さＨ１を、より高くすることにより、箱型に組み立てられた状態において、上部短側壁部３ａを、箱型に組み立てられた折り畳みコンテナーの内側に、略水平状態に配置した際に、箱型に組み立てられた折り畳みコンテナーの開口部が、より多く、上部短側壁部３ａにより閉鎖されることになり、上部短側壁部３ａが、蓋としての機能を有することになる。折り畳みコンテナーの寸法を、適宜、設定することにより、箱型に組み立てられた折り畳みコンテナーの開口部の全体を、上部短側壁部３ａにより被蓋するように構成することもできる。なお、箱型に組み立てられた折り畳みコンテナーの開口部の全体が、上部短側壁部３ａにより、被蓋されない場合でも、箱型に組み立てられた折り畳みコンテナーの開口部の全体が、部分的に被蓋されることにより、上部短側壁部３ａが、簡易的な、蓋として機能することになる。
【００２７】
【発明の効果】
本発明は、以上説明した構成を有しているので、以下に記載する効果を奏するものである。
【００２８】
底部と、底部の一方の相対する辺部にヒンジ連結された、箱型に組み立てられた状態から先に倒される側壁と、底部のもう一方の相対する辺部にヒンジ連結された、箱型に組み立てられた状態から後に倒される側壁とを有する折り畳みコンテナーにおいて、前記箱型に組み立てられた状態から先に倒される側壁を、ヒンジ部材を介して連結された上部短側壁部と下部短側壁部とにより構成するとともに、前記上部短側壁部が、箱型に組み立てられた折り畳みコンテナーの内側に、略水平状態に配置されるように構成したので、箱型に組み立てられた状態における折り畳みコンテナーの剛性や強度が向上し、箱型に組み立てられた折り畳みコンテナーの捩じれや変形を防止することができる。
【図面の簡単な説明】
【図１】図１は本発明の折り畳みコンテナーが箱型に組み立てられた状態の斜視図である。
【図２】図２は本発明の折り畳みコンテナーが箱型に組み立てられた状態の部分斜視図である。
【図３】図３は本発明の折り畳みコンテナーの組み立て途中或いは折り畳み途中の斜視図である。
【図４】図４は本発明の折り畳みコンテナーの組み立て途中或いは折り畳み途中の部分斜視図である。
【図５】図５は本発明の折り畳みコンテナーの組み立て途中或いは折り畳み途中の斜視図である。
【図６】図６は本発明の折り畳みコンテナーが折り畳まれた状態の斜視図である。
【図７】図７は本発明の折り畳みコンテナーの短側壁の部分分解斜視図である。
【図８】図８は本発明の折り畳みコンテナーの短側壁の部分分解斜視図である。
【図９】図９は本発明の折り畳みコンテナーの長側壁の部分斜視図である。
【図１０】図１０は本発明の折り畳みコンテナーの拡開された短側壁が傾斜状態の部分斜視図である。
【図１１】図１１は本発明の折り畳みコンテナーが箱型に組たたられた状態の別の実施例の斜視図である。
【図１２】図１２は本発明の折り畳みコンテナーが箱型に組み立てられた状態の別の実施例の部分斜視図である。
【図１３】図１３は先の出願の折り畳みコンテナーが折り畳まれた状態の斜視図である。
【図１４】図１４は先の出願の折り畳みコンテナーの組み立て途中或いは折り畳み途中の斜視図である。
【図１５】図１５は先の出願の折り畳みコンテナーの組み立て途中或いは折り畳み途中の斜視図である。
【図１６】図１６は先の出願の折り畳みコンテナーが箱型に組み立てられた状態の斜視図である。
【符号の説明】
１・・・・・・・・・・・底部
２・・・・・・・・・・・長側壁
３・・・・・・・・・・・短側壁
３ａ・・・・・・・・・・上部短側壁部
３ｂ・・・・・・・・・・下部短側壁部
１３・・・・・・・・・・載置部材
１８・・・・・・・・・・嵌合透孔
【図１】
0003919600.tif 000002
【図２】
0003919600.tif 000003
【図３】
0003919600.tif 000004
【図４】
0003919600.tif 000005
【図５】
0003919600.tif 000006
【図６】
0003919600.tif 000007
【図７】
0003919600.tif 000008
【図８】
0003919600.tif 000009
【図９】
0003919600.tif 000010
【図１０】
0003919600.tif 000011
【図１１】
0003919600.tif 000012
【図１２】
0003919600.tif 000013
【図１３】
0003919600.tif 000014
【図１４】
0003919600.tif 000015
【図１５】
0003919600.tif 000016
【図１６】
0003919600.tif 000017